(57)【要約】【課題】快適な生活環境を確保できるベッドを提供する。【解決手段】ベッド１０は、基体１２と、段ボール製の床板１４と、段ボール製の支持板部材１６とを備えている。床板１４の固定部１１０と可動部１１２との境界には、可動部１１２の回動軸部１１４が設けられている。可動部１１２が傾斜した状態では、支持板部材１６が可動部１１２の傾斜方向とは反対の方向に傾斜して配置されて、支持板部材１６の第１端縁３４ａが基体１２の上面８８の第２領域８８ｂに当接されるとともに、第２端縁３４ｂが可動部１１２の下面１１２ａに当接される。【選択図】図７
2017121420.tif 000002
【特許請求の範囲】
【請求項１】
基体と、
前記基体の上面の第１領域に固定された固定部と前記基体の上面の第２領域に傾斜可能に設けられた可動部とを有する段ボール製の床板と、
互いに平行な第１端縁および第２端縁を有し、傾斜した前記可動部を支持する段ボール製の支持板部材とを備え、
前記固定部と前記可動部との境界には、前記可動部を回動させるための回動軸部が設けられており、
前記可動部が傾斜した状態では、前記支持板部材が前記可動部の傾斜方向とは反対の方向に傾斜して配置されて、前記第１端縁が前記第２領域に当接されるとともに、前記第２端縁が前記可動部の下面に当接される、ベッド。
【請求項２】
前記第１領域には、複数の突部が形成されており、
前記固定部には、前記複数の突部のそれぞれに嵌合される複数の貫通孔が形成されている、請求項１に記載のベッド。
【請求項３】
前記第２領域の高さは前記第１領域の高さよりも低くされており、
前記可動部が傾斜していない状態では、前記第２領域と前記可動部との間に前記支持板部材が収納されて、前記可動部の上面の高さが前記固定部の上面の高さとほぼ同じになる、請求項１または２に記載のベッド。
【請求項４】
前記第２領域には、第１段差部が設けられており、
前記可動部の下面には、第２段差部が設けられており、
前記可動部が傾斜した状態では、前記第１端縁が前記第１段差部に引っ掛けられるとともに、前記第２端縁が前記第２段差部に引っ掛けられる、請求項１ないし３のいずれか１項に記載のベッド。
【請求項５】
前記第２段差部は、前記可動部の下面に接合された段ボール製の段差形成部材で形成されている、請求項４に記載のベッド。
【請求項６】
前記基体は、複数の縦板部材と複数の横板部材とを格子状に組み合わせることによって、上方に向けて開かれた複数の開口を有するように構成されており、
前記回動軸部は、前記複数の横板部材のうち１つの上端面に配置されている、請求項１ないし５のいずれか１項に記載のベッド。
【請求項７】
前記回動軸部が延びる方向における前記床板の端部には、前記回動軸部に対して直交する方向に延びる切り込み線が前記固定部および前記可動部の両方に連続して形成されており、
前記可動部が傾斜した状態では、前記床板における前記切り込み線よりも外側の部分が山折りにされることによって肘掛け部が形成される、請求項１ないし６のいずれか１項に記載のベッド。
【発明の詳細な説明】
【技術分野】
【０００１】
本発明は、運搬や保管が容易なベッドに関する。
【背景技術】
【０００２】
特許文献１には、自然災害発生時の避難所などで使用される従来のベッドが開示されている。このベッドは、複数のダンボール製の板状部材を組み合わせることによって構成されており、軽量であることから運搬が容易であり、組み立て式であることから保管が容易である。
【先行技術文献】
【特許文献】
【０００３】
【特許文献１】特開２０１２−２３５８１９号公報
【０００４】
避難所などで快適に過ごすためには、ベッドの他に、くつろぎのためのソファがあることが望ましい。しかし、個人に割り当てられる狭小なスペースでベッドおよびソファの両方を使用することは困難であった。そのため、ソファを諦めざるを得ず、十分にくつろぐことができなかった。
【発明の概要】
【０００５】
本発明は、上記問題に対処するためになされたものであり、より快適な生活環境を確保できるベッドを提供することを目的とする。
【０００６】
上記目的を達成するため、本発明に係るベッドの特徴は、基体と、前記基体の上面の第１領域に固定された固定部と前記基体の上面の第２領域に傾斜可能に設けられた可動部とを有する段ボール製の床板と、互いに平行な第１端縁および第２端縁を有し、傾斜した前記可動部を支持する段ボール製の支持板部材とを備え、前記固定部と前記可動部との境界には、前記可動部を回動させるための回動軸部が設けられており、前記可動部が傾斜した状態では、前記支持板部材が前記可動部の傾斜方向とは反対の方向に傾斜して配置されて、前記第１端縁が前記第２領域に当接されるとともに、前記第２端縁が前記可動部の下面に当接されることにある。
【０００７】
この構成では、床板の可動部を傾斜させることができるので、寝るときは本来の「ベッド」として使用し、起きているときは「ソファ」として使用することが可能であり、快適な生活環境を確保できる。なお、ベッドを「ソファ」として使用するとき、傾斜した可動部が「背もたれ部」となる。
【０００８】
本発明の他の特徴は、前記第１領域には、複数の突部が形成されており、前記固定部には、前記複数の突部のそれぞれが嵌合される複数の貫通孔が形成されていることにある。
【０００９】
この構成では、第１領域に形成された複数の突部が固定部に形成された複数の貫通孔に嵌合されるので、基体に対する床板の位置ずれを防止できる。
【００１０】
本発明の他の特徴は、前記第２領域の高さは前記第１領域の高さよりも低くされており、前記可動部が傾斜していない状態では、前記第２領域と前記可動部との間に前記支持板部材が収納されて、前記可動部の上面の高さが前記固定部の上面の高さとほぼ同じになることにある。
【００１１】
この構成では、可動部が傾斜していない状態において、床板の上面全体を同じ高さにすることができるので、睡眠時の快適性を高めることができる。また、第２領域と可動部との間に支持板部材が収納されるので、クッション性を高くすることができる。
【００１２】
本発明の他の特徴は、前記第２領域には、第１段差部が設けられており、前記可動部の下面には、第２段差部が設けられており、前記可動部が傾斜した状態では、前記第１端縁が前記第１段差部に引っ掛けられるとともに、前記第２端縁が前記第２段差部に引っ掛けられることにある。
【００１３】
この構成では、第１段差部および第２段差部で支持板部材を位置決めすることができるので、傾斜した可動部を安定して支持できる。
【００１４】
本発明の他の特徴は、前記第２段差部は、前記可動部の下面に接合された段ボール製の段差形成部材で形成されていることにある。
【００１５】
この構成では、可動部が傾斜していない状態において、支持板部材と可動部との間に段差形成部材が配置されるので、クッション性を高くすることができる。
【００１６】
本発明の他の特徴は、前記基体は、複数の縦板部材と複数の横板部材とを格子状に組み合わせることによって、上方に向けて開かれた複数の開口を有するように構成されており、前記回動軸部は、前記複数の横板部材のうち１つの上端面に配置されていることにある。
【００１７】
この構成では、回動軸部が横板部材の上端面に配置されているので、横板部材で回動軸部を補強できる。また、基体が上方に向けて開かれた複数の開口を有するように構成されているので、可動部を傾斜させた状態において、或いは、床板を取り外した状態において、開口から基体の内部空間に物品（衣類や日用品など）を収納することができる。
【００１８】
本発明の他の特徴は、前記回動軸部が延びる方向における前記床板の端部には、前記回動軸部に対して直交する方向に延びる切り込み線が前記固定部および前記可動部の両方に連続して形成されており、前記可動部が傾斜した状態では、前記床板における前記切り込み線よりも外側の部分が山折りにされることによって肘掛け部が形成されることにある。
【００１９】
この構成では、床板の一部を山折りにすることによって肘掛け部を簡単に形成することができる。
【図面の簡単な説明】
【００２０】
【図１】実施形態に係るベッドの構成を示す斜視図である。
【図２】実施形態に係るベッドをソファとして使用するときの状態を示す斜視図である。
【図３】基体および支持板部材の構成を示す斜視図である。
【図４】基体の組み立て方法における第１工程を示す斜視図である。
【図５】基体の組み立て方法における第２工程を示す斜視図である。
【図６】基体の組み立て方法における第３工程を示す斜視図である。
【図７】実施形態に係るベッドの可動部を傾斜させたときの（Ａ）第１状態および（Ｂ）第２状態を示す正面図である。
【図８】他の実施形態に係るベッドをソファとして使用するときの状態を示す斜視図である。
【発明を実施するための形態】
【００２１】
以下、本発明に係るベッドの実施形態について図面を参照しながら説明する。なお、以下の説明で用いる「前、後、左、右、上、下」の各方向は、図１、図２および図３に示した矢印の方向に対応する。
【００２２】
図１は、実施形態に係るベッド１０の構成を示す斜視図である。図２は、ベッド１０をソファとして使用するときの状態を示す斜視図である。
【００２３】
図１に示すベッド１０は、自然災害が発生したときの避難所や単身者向けの住宅などで使用したり、一般住宅で来客があったときに使用したりするのに適した簡易ベッドである。ベッド１０は、図１に示すように、本来の睡眠用の「ベッド」として使用できることは勿論、図２に示すように、くつろぎ用の「ソファ」として使用することもできる。ベッド１０を使用するとき、使用者の頭はベッド１０の前部に位置し、使用者の足はベッド１０の後部に位置する。
【００２４】
図１および図２に示すように、ベッド１０は、避難所などの床面に置かれる基体１２と、床板１４と、支持板部材１６とを備えている。以下には、これらの構成について説明する。
【００２５】
（基体の構成）
図３は、基体１２および支持板部材１６の構成を示す斜視図である。図３に示すように、基体１２は、段ボール製の複数の縦板部材１８ａ〜１８ｃと段ボール製の複数の横板部材２０ａ〜２０ｄとを格子状に組み合わせることによって、上方に向けて開かれた複数の開口Ｑを有するように構成されている。すなわち、基体１２は、左側から右側に向かって互いに間隔を隔てて平行に配置された第１縦板部材１８ａ、第２縦板部材１８ｂおよび第３縦板部材１８ｃと、後側から前側に向かって互いに間隔を隔てて平行に配置された第１横板部材２０ａ、第２横板部材２０ｂ、第３横板部材２０ｃおよび第４横板部材２０ｄとを有している。また、基体１２は、第１縦板部材１８ａ、第２縦板部材１８ｂおよび第３縦板部材１８ｃの各上端部に、前後方向に間隔を隔てて水平に配置された第１連結板部材２２ａおよび第２連結板部材２２ｂと、第４横板部材２０ｄの上端部に、左右方向に間隔を隔てて配置された第１クッション部材２４ａおよび第２クッション部材２４ｂとを有している。
【００２６】
なお、縦板部材１８ａ〜１８ｃおよび横板部材２０ａ〜２０ｄの数は、本実施形態に限定されるものではなく、複数であればよい。連結板部材２２ａ，２２ｂの数は、本実施形態に限定されるものではなく、少なくとも１つであればよい。クッション部材２４ａ，２４ｂは省略されてもよい。縦板部材１８ａ〜１８ｃ、横板部材２０ａ〜２０ｄおよび連結板部材２２ａ，２２ｂの材質は、特に限定されるものではないが、安価かつ軽量であることから段ボールや合板を用いることが望ましい。
【００２７】
図４〜図６は、基体１２の組み立て方法における各工程を示す斜視図であり、図４は第１工程を示す斜視図、図５は第２工程を示す斜視図、図６は第３工程を示す斜視図である。以下には、図４〜図６に基づいて、まず、基体１２の各構成要素について説明し、続いて、基体１２の組み立て方法について説明する。
【００２８】
図４に示すように、第１縦板部材１８ａは、基体１２（図３）の左側壁を構成する略長方形の板状部材である。第１縦板部材１８ａを左方または右方から見たとき、第１縦板部材１８ａの後辺２６ａおよび前辺２６ｂは、上下方向に延びて形成されており、第１縦板部材１８ａの下辺２６ｃおよび上辺２６ｄは、前後方向に延びて形成されている。
【００２９】
第１縦板部材１８ａのサイズは、想定される使用者の体格に基づいて定められている。本実施形態では、第１縦板部材１８ａの前後方向長さ（下辺２６ｃおよび上辺２６ｄの長さ）が２，０００ｍｍに定められており、第１縦板部材１８ａの上下方向長さ（後辺２６ａおよび前辺２６ｂの長さ）が３１０ｍｍに定められている。第１縦板部材１８ａの厚さ（左右方向長さ）は２０ｍｍに定められている。
【００３０】
図４に示すように、第１縦板部材１８ａの上辺２６ｄには、後側から前側に向かって、第１スリット２８ａ、第２スリット２８ｂ、第３スリット２８ｃおよび第４スリット２８ｄが互いに間隔を隔てて上下方向に延びて形成されている。第１縦板部材１８ａの上辺２６ｄにおける第１スリット２８ａと第２スリット２８ｂとの間には、第１連結板部材２２ａ（図３）が嵌め込まれる第１凹部３０ａが形成されており、第１凹部３０ａの前後方向中央部には第１突部３２ａが形成されている。第２スリット２８ｂと第３スリット２８ｃとの間には、第２連結板部材２２ｂ（図３）が嵌め込まれる第２凹部３０ｂが形成されており、第２凹部３０ｂの前後方向中央部には第２突部３２ｂが形成されている。第３スリット２８ｃと第４スリット２８ｄとの間には、支持板部材１６（図３）を収納する第３凹部３０ｃが形成されており、第３凹部３０ｃの前後方向中央部には、支持板部材１６（図３）の第１端縁３４ａが引っ掛けられる第１段差部３６が、上辺２６ｄを凹状に切り欠くことによって形成されている。
【００３１】
図４に示すように、第１縦板部材１８ａを左方または右方から見たとき、スリット２８ａ〜２８ｄの底辺、凹部３０ａ〜３０ｃの底辺ならびに突部３２ａ，３２ｂの上辺は、前後方向に延びる直線状に形成されている。
【００３２】
スリット２８ａ〜２８ｄの上下方向長さは、後辺２６ａおよび前辺２６ｂの長さの１／２程度（本実施形態では１５５ｍｍ）に定められている。第１凹部３０ａおよび第２凹部３０ｂの深さは、それらに嵌合される第１連結板部材２２ａおよび第２連結板部材２２ｂ（図３）の厚さとほぼ同じ（本実施形態では２０ｍｍ）に定められている。第３凹部３０ｃの深さは、支持板部材１６（図３）に段差形成部材３８ａ〜３８ｃ（図１）を重ねたときの合計厚さとほぼ同じ（本実施形態では４０ｍｍ）に定められている。第１突部３２ａおよび第２突部３２ｂの高さは、第１連結板部材２２ａおよび第２連結板部材２２ｂ（図３）に床板１４（図１）を重ねたときの合計厚さとほぼ同じ（本実施形態では４０ｍｍ）に定められている。
【００３３】
図５に示すように、第２縦板部材１８ｂは、基体１２（図３）の左右方向中央部に前後方向に延びて配置される板状部材であり、スリット４２ａ〜４２ｄを除いて、図４に示す第１縦板部材１８ａとほぼ同様に形成されている。
【００３４】
すなわち、第２縦板部材１８ｂを左方または右方から見たとき、第２縦板部材１８ｂの後辺４０ａおよび前辺４０ｂは、上下方向に延びて形成されており、第２縦板部材１８ｂの下辺４０ｃおよび上辺４０ｄは、前後方向に延びて形成されている。
【００３５】
第２縦板部材１８ｂの下辺４０ｃには、後側から前側に向かって、第１スリット４２ａ、第２スリット４２ｂ、第３スリット４２ｃおよび第４スリット４２ｄが互いに間隔を隔てて上下方向に延びて形成されている。スリット４２ａ〜４２ｄの上下方向長さは、後辺４０ａおよび前辺４０ｂの長さの１／２程度（本実施形態では１５５ｍｍ）に定められている。第２縦板部材１８ｂの上辺４０ｄには、凹部４４ａ〜４４ｃ、突部４６ａ，４６ｂおよび第１段差部４８が、第１縦板部材１８ａの凹部３０ａ〜３０ｃ、突部３２ａ，３２ｂおよび第１段差部３６とほぼ同じ形状およびサイズで形成されている。
【００３６】
図４に示すように、第３縦板部材１８ｃは、基体１２（図３）の右側壁を構成する板状部材であり、スリット５２ａを除いて、第１縦板部材１８ａとほぼ同様に形成されている。
【００３７】
すなわち、第３縦板部材１８ｃを左方または右方から見たとき、第３縦板部材１８ｃの後辺５０ａおよび前辺５０ｂは、上下方向に延びて形成されており、第３縦板部材１８ｃの下辺５０ｃおよび上辺５０ｄは、前後方向に延びて形成されている。
【００３８】
第３縦板部材１８ｃの下辺５０ｃの後部には、第１スリット５２ａが形成されており、第３縦板部材１８ｃの上辺５０ｄには、後側から前側に向かって、第２スリット５２ｂ、第３スリット５２ｃおよび第４スリット５２ｄが互いに間隔を隔てて上下方向に延びて形成されている。スリット５２ａ〜５２ｄの上下方向長さは、後辺５０ａおよび前辺５０ｂの長さの１／２程度（本実施形態では１５５ｍｍ）に定められている。第３縦板部材１８ｃの上辺５０ｄには、凹部５４ａ〜５４ｃ、突部５６ａ，５６ｂおよび第１段差部５８が、第１縦板部材１８ａの凹部３０ａ〜３０ｃ、突部３２ａ，３２ｂおよび第１段差部３６とほぼ同じ形状およびサイズで形成されている。
【００３９】
図４に示すように、第１横板部材２０ａは、基体１２（図３）の後側壁を構成する略長方形の板状部材である。第１横板部材２０ａを前方または後方から見たとき、第１横板部材２０ａの左辺６０ａおよび右辺６０ｂは、上下方向に延びて形成されており、第１横板部材２０ａの下辺６０ｃおよび上辺６０ｄは、左右方向に延びて形成されている。
【００４０】
第１横板部材２０ａのサイズは、想定される使用者の体格に基づいて定められている。本実施形態では、第１横板部材２０ａの左右方向長さ（下辺６０ｃおよび上辺６０ｄの長さ）が１，０００ｍｍに定められており、第１横板部材２０ａの上下方向長さ（左辺６０ａおよび右辺６０ｂの長さ）が３１０ｍｍに定められており、第１横板部材２０ａの厚さ（前後方向長さ）が２０ｍｍに定められている。
【００４１】
図４に示すように、第１横板部材２０ａの下辺６０ｃには、第１縦板部材１８ａの第１スリット２８ａに対応する第１スリット６２ａが形成されている。第１横板部材２０ａの上辺６０ｄには、第２縦板部材１８ｂの第１スリット４２ａ（図５）に対応する第２スリット６２ｂと、第３縦板部材１８ｃの第１スリット５２ａに対応する第３スリット６２ｃとが形成されている。また、第１横板部材２０ａの上辺６０ｄにおける第２スリット６２ｂを挟んだ左右方向両側の部分には、第１突部６４ａおよび第２突部６４ｂが形成されている。
【００４２】
図４に示すように、第１横板部材２０ａを前方または後方から見たとき、スリット６２ａ〜６２ｃの底辺および突部６４ａ，６４ｂの上辺は、左右方向に延びる直線状に形成されている。スリット６２ａ〜６２ｃの上下方向長さは、左辺６０ａおよび右辺６０ｂの長さの１／２程度（本実施形態では１５５ｍｍ）に定められている。第１突部６４ａおよび第２突部６４ｂの高さは、上辺６０ｄに載置される床板１４（図１）の厚さとほぼ同じ（本実施形態では２０ｍｍ）に定められている。
【００４３】
図５に示すように、第２横板部材２０ｂは、基体１２（図３）の前後方向中央部よりもやや後側に配置される板状部材であり、スリット７０ｃを除いて、第１横板部材２０ａ（図４）とほぼ同様に形成されている。
【００４４】
すなわち、第２横板部材２０ｂを前方または後方から見たとき、第２横板部材２０ｂの左辺６８ａおよび右辺６８ｂは、上下方向に延びて形成されており、第２横板部材２０ｂの下辺６８ｃおよび上辺６８ｄは、左右方向に延びて形成されている。
【００４５】
第２横板部材２０ｂの下辺６８ｃには、第１縦板部材１８ａの第２スリット２８ｂに対応する第１スリット７０ａと、第３縦板部材１８ｃの第２スリット５２ｂに対応する第３スリット７０ｃとが形成されている。第２横板部材２０ｂの上辺６８ｄには、第２縦板部材１８ｂの第２スリット４２ｂに対応する第２スリット７０ｂが形成されている。また、第２横板部材２０ｂの上辺６８ｄにおける第２スリット７０ｂを挟んだ左右方向両側の部分には、第１突部７２ａおよび第２突部７２ｂが形成されている。
【００４６】
図５に示すように、第３横板部材２０ｃは、基体１２（図３）の前後方向中央部よりもやや前側に配置される板状部材であり、上辺７６ｄに突部が形成されていない点を除いて、第１横板部材２０ａとほぼ同様に形成されている。
【００４７】
すなわち、第３横板部材２０ｃを前方または後方から見たとき、第３横板部材２０ｃの左辺７６ａおよび右辺７６ｂは、上下方向に延びて形成されており、第３横板部材２０ｃの下辺７６ｃおよび上辺７６ｄは、左右方向に延びて形成されている。
【００４８】
第３横板部材２０ｃの下辺７６ｃには、第１縦板部材１８ａの第３スリット２８ｃに対応する第１スリット７８ａと、第３縦板部材１８ｃの第３スリット５２ｃに対応する第３スリット７８ｃとが形成されている。第３横板部材２０ｃの上辺７６ｄには、第２縦板部材１８ｂの第３スリット４２ｃに対応する第２スリット７８ｂが形成されている。
【００４９】
図５に示すように、第４横板部材２０ｄは、基体１２（図３）の前側壁を構成する板状部材であり、第３横板部材２０ｃとほぼ同様に形成されている。
【００５０】
すなわち、第４横板部材２０ｄを前方または後方から見たとき、第４横板部材２０ｄの左辺８２ａおよび右辺８２ｂは、上下方向に延びて形成されており、第４横板部材２０ｄの下辺８２ｃおよび上辺８２ｄは、左右方向に延びて形成されている。
【００５１】
第４横板部材２０ｄの下辺８２ｃには、第１縦板部材１８ａの第４スリット２８ｄに対応する第１スリット８４ａと、第３縦板部材１８ｃの第４スリット５２ｄに対応する第３スリット８４ｃとが形成されている。第４横板部材２０ｄの上辺８２ｄには、第２縦板部材１８ｂの第４スリット４２ｄに対応する第２スリット８４ｂが形成されている。
【００５２】
図６に示すように、第１連結板部材２２ａは、３つの縦板部材１８ａ〜１８ｃを互いに連結するとともに、基体１２（図３）の上面８８を構成する板状部材である。第１連結板部材２２ａを上方から見たとき、第１連結板部材２２ａの左辺９０ａおよび右辺９０ｂは、前後方向に延びて形成されており、第１連結板部材２２ａの後辺９０ｃおよび前辺９０ｄは、左右方向に延びて形成されている。
【００５３】
第１連結板部材２２ａの前後方向中央部には、縦板部材１８ａ，１８ｂ，１８ｃに設けられた突部３２ａ，４６ａ，５６ａが嵌合される平面視で四角形の貫通孔９２ａ，９２ｂ，９２ｃが左右方向に間隔を隔てて形成されている。
【００５４】
図６に示すように、第１連結板部材２２ａの左右方向長さは、第１横板部材２０ａおよび第２横板部材２０ｂの左右方向長さとほぼ同じ（本実施形態では１，０００ｍｍ）に定められている。第１連結板部材２２ａの前後方向長さは、縦板部材１８ａ，１８ｂ，１８ｃに設けられた凹部３０ａ，４４ａ，５４ａの前後方向長さとほぼ同じ（本実施形態では３３０ｍｍ）に定められている。貫通孔９２ａ，９２ｂ，９２ｃの左右方向長さは、突部３２ａ，４６ａ，５６ａの左右方向長さとほぼ同じ（本実施形態では２０ｍｍ）に定められている。貫通孔９２ａ，９２ｂ，９２ｃの前後方向長さは、突部３２ａ，４６ａ，５６ａの前後方向長さとほぼ同じ（本実施形態では１１０ｍｍ）に定められている。
【００５５】
図６に示すように、第２連結板部材２２ｂは、３つの縦板部材１８ａ〜１８ｃを互いに連結するとともに、基体１２（図３）の上面８８を構成する板状部材であり、第１連結板部材２２ａとほぼ同様に形成されている。
【００５６】
すなわち、第２連結板部材２２ｂを上方から見たとき、第２連結板部材２２ｂの左辺９４ａおよび右辺９４ｂは、前後方向に延びて形成されており、第２連結板部材２２ｂの後辺９４ｃおよび前辺９４ｄは、左右方向に延びて形成されている。第２連結板部材２２ｂの前後方向中央部には、縦板部材１８ａ，１８ｂ，１８ｃに設けられた突部３２ｂ，４６ｂ，５６ｂが嵌合される平面視で四角形の貫通孔９６ａ，９６ｂ，９６ｃが左右方向に間隔を隔てて形成されている。
【００５７】
図６に示すように、第１クッション部材２４ａは、第４横板部材２０ｄの上端部の左側部分において床板１４（図１）の前端部を下方から受ける部材であり、長方形の段ボールを逆Ｕ字状に曲げることによって棒状に形成されている。本実施形態では、第１クッション部材２４ａの左右方向長さが４３０ｍｍに定められており、第１クッション部材２４ａの上下方向長さが５０ｍｍに定められており、第１クッション部材２４ａの厚さが１５ｍｍに定められている。
【００５８】
図６に示すように、第２クッション部材２４ｂは、第４横板部材２０ｄの上端部の右側部分において床板１４（図１）の前端部を下方から受ける部材であり、第１クッション部材２４ａとほぼ同様に形成されている。なお、第１クッション部材２４ａおよび第２クッション部材２４ｂの材質は、特に限定されるものではなく、段ボールに代えてゴムやエラストマーなどが用いられてもよい。
【００５９】
（基体の組み立て方法）
基体１２を組み立てる際には、図４に示す第１工程、図５に示す第２工程および図６に示す第３工程をこの順に実行する。以下には、これらの各工程について説明する。
【００６０】
図４に示すように、第１工程では、まず、第１縦板部材１８ａの下辺２６ｃを床面（図示省略）に当接させるとともに、第１縦板部材１８ａの左右両側面を床面に対して垂直に配置する。続いて、第１横板部材２０ａの第１スリット６２ａを第１縦板部材１８ａの第１スリット２８ａに上方から嵌め合わせて、第１横板部材２０ａを第１縦板部材１８ａに連結する。その後、第３縦板部材１８ｃの第１スリット５２ａを第１横板部材２０ａの第３スリット６２ｃに上方から嵌め合わせて、第３縦板部材１８ｃを第１横板部材２０ａに連結する。
【００６１】
図５に示すように、第２工程では、第１工程で組み立てられた第１縦板部材１８ａ、第１横板部材２０ａおよび第３縦板部材１８ｃの結合体１００に対して、第２横板部材２０ｂ、第３横板部材２０ｃ、第４横板部材２０ｄおよび第２縦板部材１８ｂを上方から組み付ける。
【００６２】
第２横板部材２０ｂを組み付ける際には、第２横板部材２０ｂの第１スリット７０ａを第１縦板部材１８ａの第２スリット２８ｂに上方から嵌め合わせるとともに、第２横板部材２０ｂの第３スリット７０ｃを第３縦板部材１８ｃの第２スリット５２ｂに上方から嵌め合わせる。
【００６３】
第３横板部材２０ｃを組み付ける際には、第３横板部材２０ｃの第１スリット７８ａを第１縦板部材１８ａの第３スリット２８ｃに上方から嵌め合わせるとともに、第３横板部材２０ｃの第３スリット７８ｃを第３縦板部材１８ｃの第３スリット５２ｃに上方から嵌め合わせる。
【００６４】
第４横板部材２０ｄを組み付ける際には、第４横板部材２０ｄの第１スリット８４ａを第１縦板部材１８ａの第４スリット２８ｄに上方から嵌め合わせるとともに、第４横板部材２０ｄの第３スリット８４ｃを第３縦板部材１８ｃの第４スリット５２ｄに上方から嵌め合わせる。
【００６５】
第２縦板部材１８ｂを組み付ける際には、第２縦板部材１８ｂのスリット４２ａ，４２ｂ，４２ｃ，４２ｄを横板部材２０ａ，２０ｂ，２０ｃ，２０ｄの第２スリット６２ｂ，７０ｂ，７８ｂ，８４ｂに上方から嵌め合わせる。
【００６６】
図６に示すように、第３工程では、第２工程で組み立てられた縦板部材１８ａ〜１８ｃおよび横板部材２０ａ〜２０ｄの結合体１０２に対して、第１連結板部材２２ａ、第２連結板部材２２ｂ、第１クッション部材２４ａおよび第２クッション部材２４ｂを上方から組み付ける。
【００６７】
第１連結板部材２２ａを組み付ける際には、貫通孔９２ａ，９２ｂ，９２ｃに突部３２ａ，４６ａ，５６ａを嵌め合わせながら、第１連結板部材２２ａを縦板部材１８ａ，１８ｂ，１８ｃの凹部３０ａ，４４ａ，５４ａに上方から嵌め合わせる。
【００６８】
第２連結板部材２２ｂを組み付ける際には、貫通孔９６ａ，９６ｂ，９６ｃに突部３２ｂ，４６ｂ，５６ｂに嵌め合わせながら、第２連結板部材２２ｂを縦板部材１８ａ，１８ｂ，１８ｃの凹部３０ｂ，４４ｂ，５４ｂに上方から嵌め合わせる。
【００６９】
第１クッション部材２４ａおよび第２クッション部材２４ｂを組み付ける際には、これらを第４横板部材２０ｄの上端部に上方から嵌め合わせる。
【００７０】
（床板の構成）
図１に示すように、床板１４は、基体１２の上面８８に載置される段ボール製の板状部材であり、平面視で四角形の固定部１１０と、平面視で四角形の可動部１１２とを有している。本実施形態では、基体１２の上面８８における第３横板部材２０ｃよりも後側の領域が第１領域８８ａとなっており、第１領域８８ａに固定部１１０が固定されている。一方、基体１２の上面８８における第３横板部材２０ｃよりも前側の領域が第２領域８８ｂとなっており、この第２領域８８ｂに可動部１１２が傾斜可能に設けられている。
【００７１】
図３に示すように、第２領域８８ｂの高さは第１領域８８ａの高さよりも低くされている。図１に示すように、可動部１１２が傾斜していない状態では、第２領域８８ｂと可動部１１２との間に支持板部材１６が収納されて、可動部１１２の上面の高さが固定部１１０の上面の高さとほぼ同じになる。なお、床板１４の材料となる段ボールの積層数は、特に限定されるものではないが、本実施形態では４層の段ボールが用いられている。
【００７２】
図７は、実施形態に係るベッド１０の可動部１１２を傾斜させた状態を示す正面図であり、（Ａ）は第１状態を示しており、（Ｂ）は第２状態を示している。図７（Ａ）に示すように、固定部１１０と可動部１１２との境界には、固定部１１０に対して可動部１１２を回動させるための回動軸部１１４が左右方向に延びて直線状に設けられている。この回動軸部１１４は、床板１４の強度を部分的に低くすることによって構成されており、本実施形態では、床板１４の下面１４ａに左右方向に延びる直線状の切り込み線１１６を入れることによって構成されている。回動軸部１１４は、第３横板部材２０ｃの上端面に配置されることによって、第３横板部材２０ｃで補強されている。
【００７３】
図１に示すように、固定部１１０の前後方向長さは、第１領域８８ａにおける縦板部材１８ａ，１８ｂ，１８ｃの前後方向長さよりもやや長め（本実施形態では１，３１７ｍｍ）に定められている。固定部１１０の左右方向長さは、横板部材２０ａ，２０ｂ，２０ｃの左右方向長さとほぼ同じ（本実施形態では１，０００ｍｍ）に定められている。
【００７４】
図１に示すように、固定部１１０には、第１縦板部材１８ａの突部３２ａ，３２ｂが嵌合される貫通孔１１６ａ，１１６ｂと、第２縦板部材１８ｂの突部４６ａ，４６ｂが嵌合される貫通孔１１６ｃ，１１６ｄと、第３縦板部材１８ｃの突部５６ａ，５６ｂが嵌合される貫通孔１１６ｅ，１１６ｆとが形成されている。また、固定部１１０には、第１横板部材２０ａの突部６４ａ，６４ｂが嵌合される貫通孔１１６ｇ，１１６ｈと、第２横板部材２０ｂの突部７２ａ，７２ｂが嵌合される貫通孔１１６ｉ，１１６ｊとが形成されている。
【００７５】
図１に示すように、可動部１１２の前後方向長さは、第２領域８８ｂにおける縦板部材１８ａ，１８ｂ，１８ｃの前後方向長さよりもやや長め（本実施形態では６８３ｍｍ）に定められている。可動部１１２の左右方向長さは、横板部材２０ｃ，２０ｄの左右方向長さとほぼ同じ（本実施形態では１，０００ｍｍ）に定められている。
【００７６】
図１に示すように、可動部１１２の下面１１２ａには、補強板１１８、第１段差形成部材３８ａ、第２段差形成部材３８ｂおよび第３段差形成部材３８ｃが、後側から前側に向かって互いに間隔を隔てて平行に設けられている。
【００７７】
補強板１１８は、可動部１１２を補強するための底面視で四角形の板状部材である。補強板１１８は、段ボールによって形成されており、可動部１１２の下面１１２ａに接着剤等の接合手段で接合されている。本実施形態では、補強板１１８の前後方向長さが３５３ｍｍに定められており、補強板１１８の左右方向長さが１，０００ｍｍに定められている。
【００７８】
段差形成部材３８ａ，３８ｂ，３８ｃは、可動部１１２の下面１１２ａに３つの第２段差部１２０ａ，１２０ｂ，１２０ｃを構成するための底面視で四角形の板状部材である。段差形成部材３８ａ，３８ｂ，３８ｃは、段ボールによって形成されており、可動部１１２の下面１１２ａに接着剤等の接合手段で接合されている。本実施形態では、段差形成部材３８ａ，３８ｂ，３８ｃの前後方向長さが４０ｍｍに定められており、段差形成部材３８ａ，３８ｂ，３８ｃの左右方向長さが８６０ｍｍに定められている。また、段差形成部材３８ａ，３８ｂ，３８ｃの相互間の間隔が４０ｍｍに定められており、段差形成部材３８ａと補強板１１８との間隔が４０ｍｍに定められている。
【００７９】
（支持板部材の構成）
図２に示す支持板部材１６は、傾斜した可動部１１２を支持するための段ボール製の板状部材であり、図３に示すように、平面視で四角形に形成されている。支持板部材１６の左右方向長さは、可動部１１２（図２）の左右方向長さとほぼ同じ（本実施形態では１，０００ｍｍ）に定められており、支持板部材１６の前後方向長さは、第３横板部材２０ｃと第４横板部材２０ｄとの間隔よりもやや短め（本実施形態では５００ｍｍ）に定められている。したがって、図１に示すように、可動部１１２が傾斜していない状態では、基体１２の上面８８の第２領域８８ｂに支持板部材１６を水平に配置することができる。
【００８０】
図３に示すように、支持板部材１６の下面１６ａには、２つの位置ずれ防止部材１１４ａ，１１４ｂが左右方向に間隔を隔てて前後方向に延びて設けられている。位置ずれ防止部材１１４ａ，１１４ｂは、底面視で四角形の段ボール製の板状部材であり、支持板部材１６の下面１６ａに接着剤等の接合手段で接合されている。
【００８１】
本実施形態では、位置ずれ防止部材１１４ａ，１１４ｂの前後方向長さが４２０ｍｍに定められており、位置ずれ防止部材１１４ａ，１１４ｂの左右方向長さが４０ｍｍに定められている。また、左側の位置ずれ防止部材１１４ａの左端縁と右側の位置ずれ防止部材１１４ｂの右端縁との間隔は、第１縦板部材１８ａと第２縦板部材１８ｂとの間隔よりもやや短め（本実施形態では７８０ｍｍ）に定められている。したがって、基体１２の上面８８の第２領域８８ｂに支持板部材１６を水平に配置した際には、第１縦板部材１８ａと第２縦板部材１８ｂとの間に位置ずれ防止部材１１４ａ，１１４ｂを配置することができ、支持板部材１６の左右方向への位置ずれを防止できる。
【００８２】
図１に示すように、基体１２に対して床板１４および支持板部材１６を組み付ける際には、基体１２の上面８８の第１領域８８ａに床板１４の固定部１１０を配置し、第１領域８８ａに形成された複数の突部３２ａ，３２ｂ，４６ａ，４６ｂ，５６ａ，５６ｂ，６４ａ，６４ｂ，７２ａ，７２ｂを固定部１１０に形成された複数の貫通孔１１６ａ，１１６ｂ，１１６ｃ，１１６ｄ，１１６ｅ，１１６ｆ，１１６ｇ，１１６ｈ，１１６ｉ，１１６ｊに嵌合させる。
【００８３】
図１に示すように、ベッド１０を本来の「ベッド」として使用する際には、床板１４の可動部１１２を持ち上げて、基体１２の上面８８の第２領域８８ｂに支持板部材１６を水平に配置する。続いて、床板１４の可動部１１２を降下させて支持板部材１６の上面に配置するとともに、可動部１１２の前端部をクッション部材２４ａ，２４ｂ（図３）に当接させる。
【００８４】
図２に示すように、ベッド１０を「ソファ」として使用する際には、床板１４の可動部１１２を固定部１１０に対して傾斜させた後、可動部１１２を支持板部材１６で支持する。つまり、支持板部材１６を可動部１１２の傾斜方向とは反対の方向に傾斜するように配置し、第１端縁３４ａを第２領域８８ｂに当接させるとともに、第２端縁３４ｂを可動部１１２の下面１１２ａに当接させる。可動部１１２を支持板部材１６で支持するとき、支持板部材１６は、可動部１１２の傾斜角度などに応じて、図７（Ａ）に示す「第１状態」および図７（Ｂ）に示す「第２状態」のいずれかをとることができる。なお、ベッド１０を「ソファ」として使用するとき、傾斜した可動部１１２が「背もたれ部」となる。
【００８５】
図７（Ａ）に示す「第１状態」は、支持板部材１６の第１端縁３４ａを第２領域８８ｂに設けられた第１段差部３６，４８，５８（図３）に引っ掛けた状態である。「第１状態」において、支持板部材１６の第２端縁３４ｂは、可動部１１２の下面１１２ａに当接されるとともに、第２段差部１２０ａ，１２０ｂ，１２０ｃのいずれかに引っ掛けられる。
【００８６】
図７（Ｂ）に示す「第２状態」は、支持板部材１６の第１端縁３４ａを第４横板部材２０ｄの上端部に引っ掛けた状態である。つまり、「第２状態」では、第４横板部材２０ｄの上端部が、第１端縁３４ａが引っ掛けられる第１段差部１２２となる。「第２状態」において、支持板部材１６の第２端縁３４ｂは、可動部１１２の下面１１２ａに当接されるとともに、第２段差部１２０ａ，１２０ｂ，１２０ｃのいずれかに引っ掛けられる。
【００８７】
（実施形態の効果）
本実施形態によれば、上記の構成により以下の各効果を奏することができる。すなわち、床板１４の可動部１１２を傾斜させることができるので、図１に示すように、寝るときは本来の「ベッド」として使用し、図２に示すように、起きているときは「ソファ」として使用することが可能であり、快適な生活環境を確保できる。
【００８８】
図１に示すように、基体１２の上面８８の第１領域８８ａに形成された複数の突部３２ａ，３２ｂ，４６ａ，４６ｂ，５６ａ，５６ｂ，６４ａ，６４ｂ，７２ａ，７２ｂが床板１４の固定部１１０に形成された複数の貫通孔１１６ａ，１１６ｂ，１１６ｃ，１１６ｄ，１１６ｅ，１１６ｆ，１１６ｇ，１１６ｈ，１１６ｉ，１１６ｊに嵌合されるので、基体１２に対する床板１４の位置ずれを防止できる。
【００８９】
図１に示すように、可動部１１２が傾斜していない状態において、床板１４の上面８８全体を同じ高さにすることができるので、睡眠時の快適性を高めることができる。
【００９０】
図１に示すように、可動部１１２が傾斜していない状態において、第２領域８８ｂと可動部１１２との間に段ボール製の支持板部材１６および段ボール製の段差形成部材３８ａ，３８ｂ，３８ｃが配置されるので、高いクッション性を得ることができる。
【００９１】
図３に示すように、基体１２が上方に向けて開かれた複数の開口Ｑを有するように構成されているので、可動部１１２（図２）を傾斜させた状態において、或いは、床板１４（図２）を取り外した状態において、開口Ｑから基体１２の内部空間に物品（衣類や日用品など）を収納することができる。
【００９２】
図７（Ａ）に示すように、支持板部材１６の第２端縁３４ｂを複数の第２段差部１２０ａ，１２０ｂ，１２０ｃから任意に選んだ１つに引っ掛けることができるので、可動部１１２の傾斜角度を適宜変更することができる。また、支持板部材１６の第１端縁３４ａを第１段差部３６，４８，５８および第１段差部１２２のいずれかに引っ掛けることができるので、可動部１１２の傾斜角度を細かく調整することができる。
【００９３】
図７（Ａ）に示すように、第１段差部３６，４８，５８（図３）および第２段差部１２０ａ，１２０ｂ，１２０ｃで支持板部材１６を位置決めすることができるので、傾斜した可動部１１２を安定して支持できる。
【００９４】
図７（Ａ）に示すように、回動軸部１１４が第３横板部材２０ｃの上端面に配置されているので、第３横板部材２０ｃで回動軸部１１４を補強できる。
【００９５】
（他の実施形態）
図８は、他の実施形態に係るベッド１３０の可動部１３４を傾斜させた状態を示す斜視図である。図８に示すベッド１３０では、「ソファ」として使用する場合に、固定部１３２および可動部１３４のそれぞれの一部が変形して肘掛け部１３６ａ，１３６ｂが構成される。
【００９６】
図８に示すように、ベッド１３０は、固定部１３２と可動部１３４と回動軸部１３８とを有する床板１４０を備えている。回動軸部１３８が延びる方向（左右方向）における床板１４０の両端部１４０ａ，１４０ｂには、回動軸部１３８に対して直交する方向に延びる切り込み線１４２ａ，１４２ｂが、固定部１３２および可動部１３４の両方に連続して、表裏に貫通して形成されている。固定部１３２に対して可動部１３４を傾斜させると、床板１４０における切り込み線１４２ａ，１４２ｂよりも外側の部分１４４ａ，１４４ｂが山折りにされることによって肘掛け部１３６ａ，１３６ｂが形成される。
【００９７】
図８に示すベッド１３０によれば、床板１４０の一部を山折りにするだけで肘掛け部１３６ａ，１３６ｂを簡単に形成することができる。なお、外側の部分１４４ａ，１４４ｂを山折りにするための折り線の部分には、肉厚を薄くするための直線状の切り込み線（図示省略）が入れられてもよい。
【符号の説明】
【００９８】
１０…ベッド、１２…基体、１４…床板、１６…支持板部材、３４ａ…第１端縁、３４ｂ…第２端縁、８８…上面、８８ａ…第１領域、８８ｂ…第２領域、１１０…固定部、１１２…可動部、１１４…回動軸部
【図１】
2017121420.tif 000003
【図２】
2017121420.tif 000004
【図３】
2017121420.tif 000005
【図４】
2017121420.tif 000006
【図５】
2017121420.tif 000007
【図６】
2017121420.tif 000008
【図７】
2017121420.tif 000009
【図８】
2017121420.tif 000010